(57)【要約】【課題】  画像出力機器のキャリブレーション作業を簡易なシステム構成で実施するための技術を提供する。【解決手段】  本発明の電子カメラは、撮像部、制御部、基準出力部、画像取得部、および較正部を備える。撮像部は、被写体を撮影して画像データを作成する。制御部は、画像データを画像出力機器にデータ出力する。基準出力部は、基準画像データを画像出力機器にデータ出力する。画像取得部は、画像出力機器における基準画像データの出力結果を撮影した比較画像データを取得する。較正部は、基準画像データと比較画像データとのデータ差異を求め、データ差異を抑制するキャリブレーションデータを作成する。【選択図】      図１
2008066871.tif 000002
【特許請求の範囲】
【請求項１】
被写体を撮影して画像データを作成する撮像部と、
前記画像データを画像出力機器にデータ出力する制御部とを備えた電子カメラであって、
キャリブレーションの基準とする基準画像データを、前記画像出力機器にデータ出力する基準出力部と、
前記画像出力機器における前記基準画像データの出力結果を、前記撮像部で撮影することによって作成された比較画像データを取得する画像取得部と、
前記基準画像データと前記比較画像データとのデータ差異を求め、前記データ差異を抑制するキャリブレーションデータを作成する較正部と
を備えたことを特徴とする電子カメラ。
【請求項２】
請求項１に記載の電子カメラにおいて、
前記制御部は、前記画像出力機器との情報通信により前記画像出力機器を識別し、
前記較正部は、作成したキャリブレーションデータを前記画像出力機器の識別結果と対応付けて管理する
ことを特徴とする電子カメラ。
【請求項３】
請求項１または請求項２に記載の電子カメラにおいて、
前記制御部は、前記較正部から取得した前記キャリブレーションデータを、前記画像出力機器のプロファイルデータとして、前記画像出力機器、または前記画像出力機器を制御するコンピュータにデータ出力する
ことを特徴とする電子カメラ。
【請求項４】
請求項１または請求項２に記載の電子カメラにおいて、
前記制御部は、前記較正部から取得した前記キャリブレーションデータに従って、前記画像出力装置に出力する画像データをデータ補正する
ことを特徴とする電子カメラ。
【請求項５】
請求項１または請求項２に記載の電子カメラにおいて、
前記制御部は、前記較正部から取得した前記キャリブレーションデータを、前記撮像部で作成される前記画像データに付加して、画像ファイルを生成する
ことを特徴とする電子カメラ。
【発明の詳細な説明】
【技術分野】
【０００１】
本発明は、電子カメラに関する。
【背景技術】
【０００２】
従来、ディスプレイモニタなどの画像出力機器に対して、キャリブレーションを実施する装置が知られている。
例えば、下記の特許文献１には、光検出ユニットをディスプレイモニタに装着し、その光検出結果をパーソナルコンピュータで処理してキャリブレーションデータを作成する構成が開示されている。
【特許文献１】特開２００２−２８１５３１号公報
【発明の開示】
【発明が解決しようとする課題】
【０００３】
上述した従来技術では、画像出力機器のキャリブレーションに際して、パーソナルコンピュータおよび光検出ユニットを別途準備する必要がある。そのため、画像出力機器のキャリブレーションを手軽に実施できないという問題点があった。
また最近では、電子カメラとプリンタ装置とをダイレクト接続してプリント処理を行うといったシステム構成も多くなっている。このようなシステム構成ではパーソナルコンピュータが介在しないため、パーソナルコンピュータを用いたキャリブレーション処理が不可能になる。
そこで、本発明は、画像出力機器のキャリブレーションを簡易に実施するための技術を提供することを目的とする。
【課題を解決するための手段】
【０００４】
《１》  本発明の電子カメラは、撮像部、制御部、基準出力部、画像取得部、および較正部を備える。
撮像部は、被写体を撮影して画像データを作成する。
制御部は、画像データを画像出力機器にデータ出力する。
基準出力部は、キャリブレーションの基準とする基準画像データを画像出力機器にデータ出力する。
画像取得部は、画像出力機器における基準画像データの出力結果を撮影して得られる画像データを比較画像データとして取得する。
較正部は、基準画像データと比較画像データとのデータ差異を求め、このデータ差異を抑制するキャリブレーションデータを作成する。
《２》  なお好ましくは、制御部は、画像出力機器との情報通信により画像出力機器を識別する。較正部は、作成したキャリブレーションデータを画像出力機器の識別結果と対応付けて管理する。
《３》  また好ましくは、制御部は、較正部から取得したキャリブレーションデータを、画像出力機器のプロファイルデータとして、画像出力機器、またはその画像出力機器を制御するコンピュータにデータ出力する。
《４》  なお好ましくは、制御部は、較正部から取得したキャリブレーションデータに従って、画像出力機器に出力する画像データをデータ補正する。
《５》  また好ましくは、制御部は、較正部から取得したキャリブレーションデータを、撮像部で作成される画像データに付加して、画像ファイルを生成する。
【発明の効果】
【０００５】
本発明では、電子カメラの機能を使用して、画像出力機器のキャリブレーションデータを作成する。したがって、従来技術のように光検出ユニットを別途用意する必要がなく、手軽にキャリブレーション作業を実施することが可能になる。また、電子カメラと画像出力機器の間でキャリブレーション設定を可能にした場合、電子カメラと画像出力機器といった最小構成のみで、手軽にキャリブレーション作業を実施することも可能になる。
【発明を実施するための最良の形態】
【０００６】
［システム構成の説明］
図１は、本実施形態におけるキャリブレーションシステム１１の構成を示す図である。
このキャリブレーションシステム１１は、電子カメラ１２と、画像出力機器１３（ディスプレイモニタ１３ｄ、またはプリンタ装置１３ｐなど）とを接続することによって、最小限に構成される。なお、画像出力機器１３と電子カメラ１２との間に、コンピュータ１５などを介在させてもよい。
この電子カメラ１２には、被写体を撮影して画像データを作成する撮像部２１が設けられる。この撮像部２１で作成された画像データは、制御部２２でデータ処理された後、記録媒体２２ａにファイル保存される。なお、この制御部２２は、通信媒体や記録媒体２２ａを介して、画像データを画像出力機器１３に出力する機能も有する。さらに、電子カメラ１２には、基準出力部２３、画像取得部２４、および較正部２５などが設けられる。
【０００７】
［動作説明］
図２〜図５は、電子カメラ１２のキャリブレーションモードの動作を説明する図である。以下、図２〜図５に示すステップ番号に沿って、この動作を説明する。
【０００８】
ステップＳ１：  まず、ユーザーは、不図示の操作部材と表示画面を介してＧＵＩ（graphical user interface）操作を行い、キャリブレーションモードをメニュー選択する。
【０００９】
ステップＳ２：  続いて、ユーザーは、電子カメラ１２内に保存された基準画像データＩｓをそのまま使用するか否かをメニュー選択する。ここで、既存の基準画像データＩｓを使用する場合は、ステップＳ５に動作を移行する。一方、新たな基準画像データＩｓを作成する場合は、ステップＳ３に動作を移行する。
【００１０】
ステップＳ３：  ユーザーは、キャリブレーション測定用のテストパターンを、電子カメラ１２で撮影する。図６は、このテストパターンの一例を示す図である。このテストパターンには、白黒階調を配列したパターンと、カラー領域を配列したパターンとから構成される。
【００１１】
ステップＳ４：  テストパターンの撮像データは、撮像部２１および制御部２２を経由して、基準出力部２３に基準画像データＩｓとして記憶される。なお、この基準出力部２３として、記録媒体２２ａや電子カメラ１２内の画像バッファを使用してもよい。
【００１２】
ステップＳ５：  制御部２２は、画像出力機器１３と情報通信を行い、画像出力機器１３の識別を行う。
【００１３】
ステップＳ６：  基準出力部２３は、保持する基準画像データＩｓを、制御部２２を介して、画像出力機器１３にデータ出力する。
【００１４】
ステップＳ７：  ユーザーは、画像出力機器１３の出力結果Ｒを電子カメラ１２で撮影する。ここで、画像出力機器１３がディスプレイモニタ１３ｄの場合には、出力結果Ｒとしてモニタ画面を撮影すればよい。また、画像出力機器１３がプリンタ装置１３ｐの場合には、出力結果Ｒとして印刷結果を撮影すればよい。
【００１５】
ステップＳ８：  制御部２２は、撮像部２１から撮像データを取得する。なお、制御部２２は、画像出力機器１３の識別結果によっては、撮像データに対してモニタ画面の走査線消去（平滑化処理）や、環境光の影響除去などの処理を必要に応じて実施してもよい。
【００１６】
ステップＳ９：  画像取得部２４は、出力結果Ｒの撮像データを制御部２２から取得し、比較画像データＩｒとして記憶する。なお、この画像取得部２４として、記録媒体２２ａや電子カメラ１２内の画像バッファを使用してもよい。
【００１７】
ステップＳ１０：  較正部２５は、基準画像データＩｓと比較画像データＩｒのデータ差異を、テストパターン（図６参照）のパターン領域ごとに求める。較正部２５は、このように求めたデータ差異（階調差や、色度座標の差など）を打ち消すキャリブレーションデータを作成する。
【００１８】
ステップＳ１１：  較正部２５は、作成したキャリブレーションデータを、画像出力機器１３の識別結果に対応付けて記憶する。
【００１９】
ステップＳ１２：  続いて、ユーザーは電子カメラ１２のＧＵＩ操作を行い、キャリブレーションの方法をメニュー選択する。
ここで、画像出力機器１３側でのキャリブレーションが選択されると、制御部２２はステップＳ１３に動作を移行する。
一方、電子カメラ１２側でのキャリブレーションが選択されると、制御部２２はステップＳ２１に動作を移行する。
また、キャリブレーションデータのファイル付加が選択されると、制御部２２はステップＳ３１に動作を移行する。
【００２０】
ステップＳ１３：  制御部２２は、キャリブレーション対象の画像出力機器１３と情報通信を行い、その画像出力機器１３を識別する。
【００２１】
ステップＳ１４：  制御部２２は、この識別結果に対応するキャリブレーションデータを較正部２５から取得する。制御部２２は、取得したキャリブレーションデータを、プロファイルデータとして画像出力機器１３（または画像出力機器１３を制御するコンピュータ１５）へデータ出力する。
【００２２】
ステップＳ１５：  画像出力機器１３（またはコンピュータ１５）側では、電子カメラ１２側から取得したプロファイルデータに基づいて、画像データのキャリブレーションを実施する。この画像出力機器１３側での処理により、画像出力機器１３の出力特性の偏りやバラツキを打ち消し、画像本来のもつ自然なグラデーションと忠実な色彩での画像出力が可能になる。このようにして、電子カメラ１２のキャリブレーションモードの動作が完了する。
【００２３】
ステップＳ２１：  ステップＳ１３と同じ動作。
【００２４】
ステップＳ２２：  制御部２２は、画像出力機器１３の識別結果に対応するキャリブレーションデータを較正部２５から取得する。制御部２２は、取得したキャリブレーションデータに従って、電子カメラ１２の画像処理パラメータを設定する。
【００２５】
ステップＳ２３：  上述した画像処理パラメータの設定に従って、制御部２２は画像出力機器１３に出力する画像データに対して補正（階調補正、色座標変換など）を実施する。この補正により、画像出力機器１３における出力特性の偏りやバラツキを打ち消し、本来の自然なグラデーションと忠実な色彩での画像出力が可能になる。このようにして、電子カメラ１２のキャリブレーションモードの動作が完了する。
【００２６】
ステップＳ３１：  ステップＳ１３と同じ動作。
【００２７】
ステップＳ３２：  制御部２２は、画像出力機器１３の識別結果に対応するキャリブレーションデータを較正部２５から選択する。
【００２８】
ステップＳ３３：  制御部２２は、撮像部２１で作成された画像データをファイル化する過程で、キャリブレーションデータを画像ファイル内に付加情報として格納する。このようにして、電子カメラ１２のキャリブレーションモードの動作が完了する。
【００２９】
［本実施形態の効果］
以上説明したように、本実施形態では、電子カメラ１２および画像出力機器１３といった最小限のシステム構成であっても、キャリブレーションを確実に実施することができる。
【００３０】
さらに、本実施形態では、画像出力機器１３の識別結果に対応付けて、作成したキャリブレーションデータを管理する。その結果、電子カメラ１２では、多様な画像出力先（複数台のディスプレイモニタやプリンタ装置など）の変更に柔軟に対応して、適切なキャリブレーションデータを選択使用することが可能になる。
【００３１】
また、本実施形態では、電子カメラ１２側で、画像出力機器１３に出力する画像データのキャリブレーションを完了することもできる。したがって、キャリブレーション機能を持たない画像出力機器１３であっても、自然かつ忠実な画像出力結果を得ることができる。
【００３２】
さらに、本実施形態では、画像ファイルにキャリブレーションデータを付加することもできる。したがって、コンピュータ１５や画像出力機器１３では、この画像ファイルに付加されるキャリブレーションデータを参照して階調補正や色補正を実施することで、自然かつ忠実な画像出力結果を得ることが可能になる。
【００３３】
なお、本実施形態の比較画像データＩｒは、基準画像データＩｓを画像出力機器１３に出力し、その出力結果を電子カメラ１２で撮像したものである。したがって、比較画像データＩｒと基準画像データＩｓとのデータ差異には、（画像出力機器１３＋電子カメラ１２）の両特性が反映される。キャリブレーションデータは、このデータ差異を抑制するように作成される。したがって、本実施形態のキャリブレーションデータでは、画像出力機器１３および電子カメラ１２の両特性を総合的に抑制することが可能になる。
【００３４】
《実施形態の補足事項》
なお、上述した実施形態では、比較画像データＩｒを、通常の画像データと同様に作成している。しかしながら、本発明はこれに限定されるものではない。例えば、電子カメラ１２は、比較画像データＩｒを、なるべく忠実な階調特性および色特性で作成してもよい。この場合、比較画像データＩｒと基準画像データＩｓとのデータ差異は、画像出力機器１３の特性を強く反映するようになる。その結果、画像出力機器１３単体のキャリブレーションデータを作成することも可能になる。
【００３５】
また、上述した実施形態では、画像出力機器１３として、ディスプレイモニタ１３ｄまたはプリンタ装置１３ｐの例をあげて説明した。しかしながら、本発明はこれに限定されるものではない。一般的に、画像出力機器１３は、画像データを電子カメラ１２で撮影可能な形態で画像出力できる機器であればよい。
【産業上の利用可能性】
【００３６】
以上説明したように、本発明は、電子カメラなどに利用可能な技術である。
【図面の簡単な説明】
【００３７】
【図１】キャリブレーションのシステム構成を示す図である。
【図２】キャリブレーションデータの生成動作を説明する図である。
【図３】キャリブレーションデータを画像出力機器１３に出力する動作を説明する図である。
【図４】電子カメラ側における画像データのキャリブレーション動作を説明する図である。
【図５】画像ファイルにキャリブレーションデータを付加する動作を説明する図である。
【図６】テストパターンの一例を示す図である。
【符号の説明】
【００３８】
１１…キャリブレーションシステム，１２…電子カメラ，１３…画像出力機器，１３ｄ…ディスプレイモニタ，１３ｐ…プリンタ装置，１５…コンピュータ，２１…撮像部，２２…制御部，２３…基準出力部，２４…画像取得部，２５…較正部
【図１】
2008066871.tif 000003
【図２】
2008066871.tif 000004
【図３】
2008066871.tif 000005
【図４】
2008066871.tif 000006
【図５】
2008066871.tif 000007
【図６】
2008066871.tif 000008